(57)【特許請求の範囲】
【請求項１】
測定対象となる移動端末機（２０）との間で時分割・同期・符号分割多重方式で通信を行い、前記移動端末機からの信号を測定する信号測定装置（１）であって、
前記移動端末機の送信タイミングを制御するタイミング制御命令を前記移動端末機に対して複数回連続して送信する送信部（１３）と、
前記タイミング制御命令に応じて前記移動端末機から送信された信号の送信タイミングを測定するとともに、前記移動端末機からの信号から前記移動端末機が割り当てられたタイムスロットと、当該タイムスロットから所定の間隔数離れたタイムスロットとの送信タイミングの差をタイムスロット間の送信タイミングの偏移量として算出する測定部（１６）と、
前記測定部で測定された測定結果を表示する表示部（１９）と、
前記測定部で算出された前記タイムスロット間の送信タイミングの偏移量を時系列的に連続して並べて前記表示部にグラフ表示する表示制御部（１８）と、
を備えたことを特徴とする信号測定装置。
【請求項２】
前記間隔数を設定するための設定操作部（１１）を備え、前記測定部（１６）は、前記設定操作部で設定された前記間隔数に従って、前記偏移量を算出することを特徴とする請求項１記載の信号測定装置。
【請求項３】
前記測定部（１６）は、前記算出したタイムスロット間の送信タイミングの偏移量から規格値の許容誤差範囲の中間値である基準値を差し引いた誤差値を算出し、
前記表示制御部（１８）は、前記測定部で算出された前記誤差値を時系列的に連続して並べて前記表示部（１９）にグラフ表示することを特徴とする請求項１又は２記載の信号測定装置。
【請求項４】
前記測定部（１６）は、前記算出した偏移量を時系列的に表示した場合に、該並べられた偏移量それぞれについて、隣接する１つ前の偏移量との差分を算出し、
前記表示制御部（１８）は、前記測定部で算出された偏移量の差分を時系列的に連続して並べて前記表示部（１９）にグラフ表示することを特徴とする請求項１〜３の何れかに記載の信号測定装置。
【請求項５】
前記移動端末機（２０）に送信するタイミング制御命令は、少なくとも前記移動端末機からの送信タイミングを遅らせるタイミング制御命令と前記移動端末機からの送信タイミングを進ませるタイミング制御命令とを含み、
前記測定部（１６）で測定された前記各タイミング制御命令に対応して前記移動端末機から送信された前記信号の送信タイミングと、前記各命令に対応する規格値とを比較し、当該送信タイミングが前記規格値の許容誤差範囲内に収まっているか否かを判定する判定部（１７）を備えていることを特徴とする請求項１〜４記載の信号測定装置。
【請求項６】
前記表示制御部（１８）は、前記測定部（１６）で算出された偏移量又は誤差値が正常であるか異常であるかを判定するための前記規格値から得られる規格線を、前記グラフ中に重ねて表示することを特徴とする請求項５記載の信号測定装置。
【請求項７】
前記判定部（１７）で判定された前記送信タイミングが前記規格値の許容誤差範囲内に収まっているか否かの判定結果に基づいて、正常と判定された送信タイミングと異常と判定された送信タイミングとを前記グラフ中で識別可能に表示することを特徴とする請求項５又は６に記載の信号測定装置。
【請求項８】
測定対象となる移動端末機（２０）との間で時分割・同期・符号分割多重方式で通信を行い、前記移動端末機からの信号を測定する信号測定方法であって、
前記移動端末機からの送信タイミングを遅らせるためのタイミング制御命令又は送信タイミングを進ませるためのタイミング制御命令を前記移動端末機に送信して、前記移動端末機からの送信タイミングを基準タイミングに合せるステップと、
前記移動端末機からの送信タイミングを維持するためのタイミング制御命令を複数回連続して前記移動端末機に送信するステップと、
前記移動端末機からの送信タイミングを遅らせるためのタイミング制御命令を複数回連続して前記移動端末機に送信するステップと、
前記移動端末機からの送信タイミングを進ませるためのタイミング制御命令を複数回連続して前記移動端末機に送信するステップと、
前記各命令に対応して前記移動端末機から送信された信号を受信するステップと、
前記受信した信号の送信タイミングを測定するステップと、
前記測定された送信タイミングが設定された規格値の許容誤差範囲内に収まっているか否かを判定するステップと、
前記移動端末機からの信号から前記移動端末機が割り当てられたタイムスロットと、当該タイムスロットから所定の間隔数離れたタイムスロットとの送信タイミングの差をタイムスロット間の送信タイミングの偏移量として算出するステップと、
前記算出された前記タイムスロット間の送信タイミングの偏移量を時系列的に連続して並べて表示部（１９）にグラフ表示するステップと、
を含むことを特徴とする信号測定方法。
【発明の詳細な説明】
【技術分野】
【０００１】
本発明は、通信方式として時分割・同期・符号分割多重方式を採用する携帯電話機などの移動端末機の送信タイミングを測定し、この測定結果に基づき移動端末機の動作の良否を判定した結果を表示する信号測定装置及び方法に関するものである。
【背景技術】
【０００２】
従来より、多数のユーザが同時に通信できるよう１つの周波数帯域を複数のユーザで効率的に共用する通信方式であるＣＤＭＡ（Code Division Multiple Access ）方式が知られている。そして、ＣＤＭＡ方式では、複数の移動端末機が１つの基地局を使用する際に遠近問題が生じることがあるため、基地局から移動端末機の送信電力をスロット単位で高速に制御する機能であるクローズドループパワーコントロール（ClosedLoop Power Control：以下ＣＬＰＣと記す）が用いられている。
【０００３】
このＣＬＰＣでは、基地局が移動端末機から受けた信号を測定し、この測定結果に基づいて移動端末機の送信電力の増減をダウンリンクのフレームに含まれるＴＰＣ（Transmitter Power Control ）により移動端末機に対して指示し、この指示を応じて信号を増減させて出力するように移動端末機の送信電力をアップリンクのスロット単位で制御している。そして、このようなＣＬＰＣ機能の試験を行う移動端末機送信パワー測定装置としては、例えば下記特許文献１に開示されるものが公知である。
【０００４】
図１１は、下記特許文献１に記載された移動端末機送信パワー測定装置の概略ブロック図である。移動端末機送信パワー測定装置１０１の接続端子１０１ａは、方向性結合器１０２を介して測定対象となる移動端末機１０３とコード接続されており、この移動端末機１０３に対して送信要求する送信パワー変化数、送信パワー変化量を設定するパワーコントロール設定手段１０４と、パワーコントロール設定手段１０４からの設定情報に基づき移動端末機１０３から送信させる送信パワー変化数及び送信パワー変化量の設定を制御する制御部１０５と、制御部１０５によって制御された送信パワー変化数及び送信パワー変化量に対応した送信要求信号を出力するパワーコントロール要求手段１０６と、パワーコントロール要求手段１０６からの送信要求信号を受けたときに、各送信スロット中のＴＰＣのビット情報によって送信パワーがアップ・ダウン、現状維持の何れかに制御されて移動端末機１０３に送信する送信手段１０７と、パワーコントロール要求手段１０６による送信要求に伴う送信手段１０７からの送信に応じて移動端末機１０３から送信される送信パワーを受信する受信手段１０８と、受信手段１０８で受信した信号をディジタル信号に変換するＡ／Ｄ変換器１０９と、Ａ／Ｄ変換器１０９から出力される移動端末機１０３からの送信信号の波形データを記憶するメモリ１１０と、メモリ１１０に記憶された波形データから移動端末機１０３のスロットを検出するスロット検出手段１１１ａと、スロット検出手段１１１ａによって検出された各スロットの電力及びスロット間の電力変化量を検出するスロット電力検出手段１１１ｂと、スロット検出手段１１１ａ及びスロット電力検出手段１１１ｂによって検出されたスロットの数、各スロットの電力及びスロット間の電力変化量を記憶する解析結果メモリ１１１ｃと、解析結果メモリ１１１ｃに記憶された情報とパワーコントロール設定手段１０４の設定情報を比較し、スロットの個数が一致したときには、各スロット毎の電力の比較及びスロット間の電力の変化量を比較して移動端末機１０３の動作判定を行なう判定手段１１２と、解析結果メモリ１１１ｃに記憶された内容及び判定手段１１２の判定結果を表示器１１４に表示させる表示制御回路１１３とを備えている。
【０００５】
ところで、携帯電話などの移動端末機の通信方式として、第３世代（３Ｇ）携帯電話システムの一つであり、中国国内で使うために作られた独自仕様のＴＤ−ＳＣＤＭＡ（Time Division-Synchronous Code Division Multiple Access ：時分割・同期・符号分割多重アクセス）方式が知られている。通常のＣＤＭＡ方式では別の周波数帯域を利用する上りと下りのチャネルを、このＴＤ−ＳＣＤＭＡ方式では同一周波数を使用して一本化しており、端末から基地局への上りの通信品質を確保するため、無線フレームを送る基地局配下の全移動端末機の送信タイミングをチップ（Chip）単位（１／８チップ）で同期化したり、高機能アンテナといった技術を利用して、ＣＤＭＡ技術と上りと下りを時分割で細かく切り替えて通信する時分割複信（ＴＤＤ：Time Division Duplex）技術をミックスして利用する通信方式である。
【先行技術文献】
【特許文献】
【０００６】
【特許文献１】特開２００３−４６４３１号公報
【発明の概要】
【発明が解決しようとする課題】
【０００７】
このように、通信方式がＣＤＭＡ方式である移動端末機の場合は、移動端末機からの測定信号の電力を制御するＴＰＣの測定規格に基づいて、対象となる移動端末機の動作チェックを行う装置（特許文献１の移動端末機送信パワー測定装置など）は知られている。
【０００８】
ところで、通信方式がＴＤ−ＳＣＤＭＡ方式のような時分割・同期・符号分割多重方式の移動端末機では、１つの周波数をタイムスロットに分割して複数の移動端末機をコード分割して割り当てられ、基地局へのアップリンクの送信タイミングを移動端末機毎にチップ単位（１chip＝約０．７８μｓ）で制御して同期させることが不可欠である。
従って、時分割・同期・符号分割多重方式を採用する移動端末機では、測定対象となる移動端末機からのアップリンクの信号の送信タイミングを測定することで、その移動端末機の動作チェックを行うことが好ましいが、現状、この測定における測定規格が確立されていないため、この測定結果によって移動端末機の動作チェックが行える装置の開発が望まれている。
【０００９】
そこで、本発明は上記問題点に鑑みてなされたものであり、通信方式として時分割・同期・符号分割多重方式を用いる移動端末機の送信タイミングを測定し、この測定結果に基づき移動端末機の動作の良否を判定するとともに、その測定結果を表示することのできる信号測定装置及び方法提供することを目的とするものである。
【課題を解決するための手段】
【００１０】
上記した目的を達成するために、請求項１記載の信号測定装置は、測定対象となる移動端末機２０との間で時分割・同期・符号分割多重方式で通信を行い、前記移動端末機からの信号を測定する信号測定装置１であって、
前記移動端末機の送信タイミングを制御するタイミング制御命令を前記移動端末機に対して複数回連続して送信する送信部１３と、
前記タイミング制御命令に応じて前記移動端末機から送信された信号の送信タイミングを測定するとともに、前記移動端末機からの信号から前記移動端末機が割り当てられたタイムスロットと、当該タイムスロットから所定の間隔数離れたタイムスロットとの送信タイミングの差をタイムスロット間の送信タイミングの偏移量として算出する測定部１６と、
前記測定部で測定された測定結果を表示する表示部１９と、
前記測定部で算出された前記タイムスロット間の送信タイミングの偏移量を時系列的に連続して並べて前記表示部にグラフ表示する表示制御部１８と、
を備えたことを特徴とする。
【００１１】
請求項２記載の信号測定装置は、請求項１記載の信号測定装置において、前記間隔数を設定するための設定操作部１１を備え、前記測定部１６は、前記設定操作部で設定された前記間隔数に従って、前記偏移量を算出することを特徴とする。
【００１２】
請求項３記載の信号測定装置は、請求項１又は２記載の信号測定装置において、前記測定部１６は、前記算出したタイムスロット間の送信タイミングの偏移量から規格値の許容誤差範囲の中間値である基準値を差し引いた誤差値を算出し、
前記表示制御部１８は、前記測定部で算出された前記誤差値を時系列的に連続して並べて前記表示部１９にグラフ表示することを特徴とする。
【００１３】
請求項４記載の信号測定装置は、請求項１〜３の何れかに記載の信号測定装置において、
前記測定部１６は、前記算出した偏移量を時系列的に表示した場合に、該並べられた偏移量それぞれについて、隣接する１つ前の偏移量との差分を算出し、
前記表示制御部１８は、前記測定部で算出された偏移量の差分を時系列的に連続して並べて前記表示部１９にグラフ表示することを特徴とする。
【００１４】
請求項５記載の信号測定装置は、請求項１〜４の何れかに記載の信号測定装置において、前記移動端末機２０に送信するタイミング制御命令は、少なくとも前記移動端末機からの送信タイミングを遅らせるタイミング制御命令と前記移動端末機からの送信タイミングを進ませるタイミング制御命令とを含み、
前記測定部１６で測定された前記各タイミング制御命令に対応して前記移動端末機から送信された前記信号の送信タイミングと、前記各命令に対応する規格値とを比較し、当該送信タイミングが前記規格値の許容誤差範囲内に収まっているか否かを判定する判定部１７を備えていることを特徴とする。
【００１５】
請求項６記載の信号測定装置は、請求項５記載の信号測定装置において、前記表示制御部１８は、前記測定部１６で算出された偏移量又は誤差値が正常であるか異常であるかを判定するための前記規格値から得られる規格線を、前記グラフ中に重ねて表示することを特徴とする。
【００１６】
請求項７記載の信号測定装置は、請求項５又は６に記載の信号測定装置において、前記判定部１７で判定された前記送信タイミングが前記規格値の許容誤差範囲内に収まっているか否かの判定結果に基づいて、正常と判定された送信タイミングと異常と判定された送信タイミングとを前記グラフ中で識別可能に表示することを特徴とする。
【００１７】
請求項８記載の信号測定方法は、測定対象となる移動端末機２０との間で時分割・同期・符号分割多重方式で通信を行い、前記移動端末機からの信号を測定する信号測定方法であって、
前記移動端末機からの送信タイミングを遅らせるためのタイミング制御命令又は送信タイミングを進ませるためのタイミング制御命令を前記移動端末機に送信して、前記移動端末機からの送信タイミングを基準タイミングに合せるステップと、
前記移動端末機からの送信タイミングを維持するためのタイミング制御命令を複数回連続して前記移動端末機に送信するステップと、
前記移動端末機からの送信タイミングを遅らせるためのタイミング制御命令を複数回連続して前記移動端末機に送信するステップと、
前記移動端末機からの送信タイミングを進ませるためのタイミング制御命令を複数回連続して前記移動端末機に送信するステップと、
前記各命令に対応して前記移動端末機から送信された信号を受信するステップと、
前記受信した信号の送信タイミングを測定するステップと、
前記測定された送信タイミングが設定された規格値の許容誤差範囲内に収まっているか否かを判定するステップと、
前記移動端末機からの信号から前記移動端末機が割り当てられたタイムスロットと、当該タイムスロットから所定の間隔数離れたタイムスロットとの送信タイミングの差をタイムスロット間の送信タイミングの偏移量として算出するステップと、
前記算出された前記タイムスロット間の送信タイミングの偏移量を時系列的に連続して並べて表示部１９にグラフ表示するステップと、
を含むことを特徴とする。
【発明の効果】
【００１８】
本発明の信号測定装置によれば、測定対象となる移動端末機に対して送信タイミングを制御するタイミング制御命令を送信し、このタイミング制御命令に対する信号を移動端末機から受信し、この受信した信号の送信タイミングを測定することにより、通信方式として時分割・同期・符号分割多重方式を採用する移動端末機にとって重要な送信タイミングの同期に関する測定が容易に行え、且つその測定結果を把握することができる。
【００１９】
また、測定した送信タイミングを時系列的に連続して並べてグラフ表示するとともに、測定した送信タイミングの偏移量や偏移量に基づく誤差値から得られるグラフを任意に選択して所定の表示エリアに表示をすることができるため、オペレータは測定対象である移動端末機の送信タイミングを容易に観測することができる。
【００２０】
さらに、表示部に表示された送信タイミングの偏移量に係るグラフ中に、予め設定された規格値から得られる規格線を表示しているため、オペレータはグラフ中で、送信タイミングが正常か異常かを容易に判別することができる。また、送信タイミングに異常が生じている場合に、その該当個所を例えば色分け表示や点滅表示をするなど識別可能に表示しているため、オペレータはさらに異常箇所を確実に識別することができる。
【図面の簡単な説明】
【００２１】
【図１】本発明で使用する移動端末機の通信方式である時分割・同期・符号分割多重方式のフレームフォーマットの説明図である。
【図２】本発明に係る信号測定装置の構成を説明するための概略ブロック図である。
【図３】本発明で使用する時分割・同期・符号分割多重方式において送信タイミングを制御するＳＳｃｏｍｍａｎｄの規格値を説明するための説明図である。
【図４】同ＳＳｃｏｍｍａｎｄにおける指令コマンドであるＳＳｂｉｔを説明するための説明図である。
【図５】本発明に係る信号測定装置を構成するスロット抽出手段における処理を説明するための概念図である。
【図６】本発明に係る信号測定装置における測定結果を表示した表示例である。
【図７】本発明に係る信号測定装置における測定結果を表示した別の表示例である。
【図８】本発明に係る信号測定装置における測定結果を表示した別の表示例である。
【図９】本発明に係る信号測定装置における測定結果を表示した別の表示例である。
【図１０】本発明に係る信号測定装置の処理動作を説明するためのフローチャート図である。
【図１１】従来のパワー測定装置の構成を示す概略ブロック図である。
【発明を実施するための形態】
【００２２】
以下、本発明を実施するための形態について、添付した図面を参照しながら詳細に説明する。また、この実施の形態によりこの発明が限定されるものではなく、この形態に基づいて当業者などによりなされる実施可能な他の形態、実施例及び運用技術などはすべて本発明の範疇に含まれる。
【００２３】
本例の信号測定装置は、実網として成り代わる疑似基地局装置としての機能を有し、測定対象となる移動端末機との間で時分割・同期・符号分割多重方式で通信を行い、移動端末機からの送信タイミングを制御するためのタイミング制御命令を移動端末機に対して送信し、その命令に対応した信号を移動端末機から受信し、移動端末機から受信した信号の送信タイミングを測定するとともに、この測定結果に基づく表示を行うものである。
【００２４】
なお、以下の説明では、移動端末機の通信方式として時分割・同期・符号分割多重方式であるＴＤ−ＳＣＤＭＡ（Time Division-Synchronous Code Division Multiple Access ）方式を採用した例で説明するが、複数のユーザのアップリンク・ダウンリンクの信号に同一キャリアの周波数チャネルで短く切ったタイムスロットに割り当て、移動端末機からのアップリンクの信号を同期させながらタイムスロットを切り替えて相互伝送する通信方式であれば特に限定はされない。
【００２５】
まず、本例の信号測定装置１の測定対象である移動端末機２０の通信方式として使用されるＴＤ−ＳＣＤＭＡ方式について説明する。ＴＤ−ＳＣＤＭＡ方式は、ＣＤＭＡ技術と上りと下りを時分割で細かく切り替えて通信する時分割複信（ＴＤＤ：Time Division Duplex）技術を組み合わせた通信方式である。
【００２６】
図１は、ＴＤ−ＳＣＤＭＡ方式のフレームフォーマットを示している。図示のように、ＴＤ−ＳＣＤＭＡ方式の信号は、周期的な時間単位によって構成されている。まず、基本的な時間単位を「Ｒａｄｉｏ  ｆｒａｍｅ（以下、無線フレームと記す）」と呼び、各無線フレームの長さは１０ｍｓ（チップレート＝１．２８Ｍｃｐｓ（１２８００チップ））である。各無線フレームは、長さがそれぞれ５ｍｓ（チップレート＝６４００チップ）となる２つの「Ｓｕｂ−ｆｒａｍｅ（以下、サブフレームと記す）」に分けらている。
【００２７】
このサブフレームは、ダウンリンク（基地局から移動端末機２０への通信）専用の標準タイムスロット（Time Slot ）ＴＳ＃０、特別スロット、６つの通常タイムスロットであるＴＳ＃１〜ＴＳ＃６（チップレート＝８６４チップ）とに区分され、送信データは通常スロットにおいて伝送する。また、ＴＳ＃１〜＃６のうち、ＴＳ＃１がアップリンク（移動端末機２０から基地局への通信）に割り当てられ、ＴＳ＃２〜＃６はアップ／ダウンリンクに対してフレキシブル（例えばＴＳ＃１〜＃３までがアップリンク、ＴＳ＃４〜＃６までがダウンリンク）に割り当てることができる。
【００２８】
また、３つの特別スロットには、下りパイロットタイムスロット（ＤｗＰＴＳ：Downlink Pilot Times Slot 、チップレート＝９６チップ）と、上りパイロットタイムスロット( ＵｐＰＴＳ：Uplink Pilot Times Slot 、チップレート＝１６０チップ）と、ＤｗＰＴＳとＵｐＰＴＳとの間に接続のマージンを取るためのガードピリオド（ＧＰ、チップレート＝９６チップ）が含まれている。これは、ダウンリンクとアップリンクの周波数同期のためであり、またダウンリンクからアップリンクへのガードギャップを設けるためである。
【００２９】
そして、ＴＳ＃１〜ＴＳ＃６のうち、ダウンリンク用に使用されるタイムスロットには、図示のようにＳＳ  ｓｙｍｂｏｌ（ｓ）領域が含まれており、このＳＳ  ｓｙｍｂｏｌ（ｓ）領域には、移動端末機２０の送信タイミングを１／８チップ（約０．１μｓ）で制御するタイミング制御命令であるＳＳ（Synchronisation Shift ）ｃｏｍｍａｎｄが含まれている。このＳＳｃｏｍｍａｎｄは、タイムスロット毎にコード分割された移動端末機２０毎に送信され、基地局はこのＳＳｃｏｍｍａｎｄを移動端末機２０に送信することで、移動端末機２０のアップリンクの送信タイミングの進み／遅れを制御して送信タイミングの同期をとっている。
【００３０】
次に、図２を参照しながら、本例の信号測定装置の構成について説明する。図２の信号測定装置１は、設定操作部１１、制御部１２、送信部１３、方向性結合器１４、受信部１５、測定部１６、判定部１７、表示制御部１８、表示部１９から構成される。以下、各構成要件について詳細に説明する。
【００３１】
図２に示すように、信号測定装置１の接続端子１ａは、測定対象となる移動端末機２０と同軸ケーブルにより接続可能となっており、方向性結合器１４を介して送信部１３と受信部１５にそれぞれ接続している。なお、移動端末機２０は、アンテナを介して信号測定装置１と無線接続する構成としてもよい。
【００３２】
設定操作部１１は、移動端末機２０の送信タイミングを測定するための測定方法（即ち、後述する帰還区間、維持区間、遅れ区間、進み区間の個々の区間において実行される送信タイミングの制御回数や各区間の順番などの測定の仕様）の設定、測定対象となる移動端末機２０が割り当てられるサブフレーム中のタイムスロットの設定、移動端末機２０の動作確認をする際に送信する未定義のＳＳｃｏｍｍａｎｄを送信するＳｔｅｐを実行するための設定、未定義のＳＳｃｏｍｍａｎｄを送信する制御回数の設定、特定のタイムスロットとこのタイムスロットから所定間隔離れたタイムスロットの送信タイミングの偏移量を算出するための所定のタイムスロット間隔数（任意の自然数）の設定、図３に示すような移動端末機２０に送信するＳＳｃｏｍｍａｎｄの規格値（移動端末機２０からの信号の送信タイミングの正常な測定範囲を示す値）の設定、表示部１９に表示する表示内容の選択、送信タイミング測定試験の開始／停止の指令の他、信号測定装置１の駆動に必要な各種情報の設定や選択を行っている。
【００３３】
制御部１２は、設定操作部１１で設定された測定方法の仕様に基づき、測定対象となる移動端末機２０の送信タイミングを制御するタイミング制御命令であるＳＳｃｏｍｍａｎｄを送信するための命令を送信部１３に出力している。なお、送信部１３への命令の基となる測定方法は、制御部１２が備える不図示の記憶手段に記憶される。
また、制御部１２は、測定部１６からの送信タイミングの測定結果に基づき、予め設定された測定方法の仕様に基づく制御回数だけ実行したか否かを判定している。そして、送信タイミング制御が所定回数実行されたと判定した場合は、設定された測定方法の仕様に基づき、次の処理を行うため命令を送信部１３に送信している。
【００３４】
また、制御部１２は、測定部１６からタイムスロットの送信タイミングの測定結果を受けており、この測定結果から測定対象となる移動端末機２０が割り当てられたタイムスロット毎に決まる送信タイミング（即ち、疑似基地局である信号測定装置１からみて、移動端末機２０が上げてくるべき送信タイミング）の基準となる基準タイミング（ｔａｒｇｅｔ）を設定している。さらに、制御部１２は、設定操作部１１から未定義のＳＳｃｏｍｍａｎｄの制御回数や未定義区間の実行が設定されると、この未定義のＳＳｃｏｍｍａｎｄを移動端末機２０に対して送信するための命令を送信部１３に送信している。
【００３５】
また、制御部１２は、測定部１６に測定開始を知らせる信号を出力するとともに、測定終了を知らせる信号を出力する制御、受信部１５に対する受信周波数を設定する制御、設定操作部１１で設定された規格値，タイムスロットの間隔数，規格値から得られる基準値（規格値の許容誤差範囲の中間値）などを測定部１６，判定部１７，表示制御部１８に出力する制御、選択された表示内容を表示制御部１８へ出力する制御の他、信号測定装置１を構成する各部の制御を行っている。
【００３６】
なお、制御部１２から送信部１３に送信される命令は、移動端末機２０からの送信タイミングを基準タイミングに合せるべく移動端末機２０からの送信タイミングを遅らせるためのタイミング制御命令又は移動端末機２０からの送信タイミングを進ませるためのタイミング制御命令を送信する命令、移動端末機２０からの送信タイミングを維持するためのタイミング制御命令を送信する命令、移動端末機２０からの送信タイミングを遅らせるためのタイミング制御命令を送信する命令、移動端末機２０からの送信タイミングを進ませるためのタイミング制御命令を送信する命令であり、設定操作部１１で設定された測定方法の仕様によって異なるが、このうち少なくとも移動端末機２０からの送信タイミングを遅らせるためのタイミング制御命令を送信する命令と、移動端末機２０からの送信タイミングを進ませるためのタイミング制御命令を送信する命令を含んでいる。従って、設定操作部１１で設定される測定方法も、少なくとも移動端末機２０の送信タイミングを遅らせるタイミング制御命令を送信する処理、移動端末機２０の送信タイミングを進ませるタイミング制御命令を送信する処理を含む測定方法となる。
【００３７】
送信部１３は、タイミング制御要求手段１３ａと、送信回路１３ｂとで構成され、制御部１２の制御により、移動端末機２０に対して送信タイミングを制御するＳＳｃｏｍｍａｎｄを含む制御情報を送信している。
【００３８】
タイミング制御要求手段は１３ａは、制御部１２からタイミング制御命令を送信する命令を入力すると、この命令に従って、図４に示すタイミング制御命令であるＳＳｃｏｍｍａｎｄの指令コマンドであるＳＳｂｉｔｓ（変調方式がＱＰＳＫ（quadrature phase shift keying)の場合は、００：Down（遅れ），１１：Up（進み），０１：Do nothing（維持）、変調方式が８ＰＳＫ(8 phase shift keying)の場合は、００：Down（遅れ），１１：Up（進み），０１：Do nothing（維持）となる。）をのせた制御情報を送信回路１３ｂに順次出力している。
【００３９】
即ち、移動端末機２０からの送信タイミングを基準タイミングに合せるべく移動端末機２０からの送信タイミングを遅らせるためのタイミング制御命令又は移動端末機２０からの送信タイミングを進ませるためのタイミング制御命令を送信する命令を入力した場合は現在の送信タイミングと基準タイミングとに基づきDown（遅れ）又はUp（進み）のＳＳｂｉｔ、移動端末機２０からの送信タイミングを維持するためのタイミング制御命令を送信する命令を入力した場合はDo nothing（維持）のＳＳｂｉｔ、移動端末機２０からの送信タイミングを遅らせるためのタイミング制御命令を送信する命令を入力した場合はDown（遅れ）のＳＳｂｉｔ、移動端末機２０からの送信タイミングを進ませるためのタイミング制御命令を送信する命令を入力した場合はUp（進み）のＳＳｂｉｔをのせた制御情報を送信回路１３ｂに順次出力している。
【００４０】
さらに、タイミング制御要求手段１３ａは、制御部１２から未定義のＳＳｃｏｍｍａｎｄを移動端末機２０に対して送信する命令が入力されると、この命令に従って、未定義のＳＳｃｏｍｍａｎｄの指令コマンドであるＳＳｂｉｔ（例えば変調方式がＱＰＳＫの場合は、１０：（未定義）など）をのせた制御情報を送信回路１３ｂに順次出力している。
そして、タイミング制御要求手段１３ａは、送信回路１３ｂに制御情報を出力するタイミングで、測定部１６に測定開始を促すトリガ信号を出力している。
【００４１】
送信回路１３ｂは、タイミング制御要求手段１３ａから出力された制御情報を方向性結合器１４及び接続端子１ａを介して移動端末機２０に順次出力している。そして、移動端末機２０は、送信回路１３ｂからの制御情報を受けると、その制御情報に含まれるＳＳｃｏｍｍａｎｄの命令に従って送信タイミングを制御した信号を、信号測定装置１に送信する。
【００４２】
受信部１５は、受信回路１５ａ、Ａ／Ｄ変換器１５ｂ、データ記憶手段１５ｃを備えて構成され、方向性結合器１４を介して受信回路１５ａで移動端末機２０から送信された信号を受信し、この受信した信号をＡ／Ｄ変換器１５ｂでディジタル信号に変換された受信データをデータ記憶手段１５ｃに記憶している。
【００４３】
なお、データ記憶手段１５ｃは、データの読み出しと書き込みとがそれぞれ独立して行える機能を有しており、制御部１２からの測定開始を知らせる信号を受けてから測定終了を知らせる信号を受けるまでの間、変換された受信データを連続的に記憶する。
【００４４】
測定部１６は、ＤＳＰ（Digital Signal Processor：ディジタルシグナルプロセッサ）などのマイクロコンピュータで構成され、スロット抽出手段１６ａ、スロットタイミング算出手段１６ｂ、測定結果記憶手段１６ｃとを備えて構成され、受信部１５で受けた移動端末機２０からの信号に基づく送信タイミングの測定を行っている。
【００４５】
スロット抽出手段１６ａは、タイミング制御要求手段１３ａからのトリガ信号を入力すると、データ記憶手段１５ｃに記憶された受信データをその記憶した順に読み出し、この受信データのうち、測定対象となる移動端末機２０が割り当てられた特定のタイムスロットの受信データのみを抽出し、スロットタイミング算出手段１６ｂと測定結果記憶手段１６ｃに出力している。  
【００４６】
即ち、概念的に説明すると、図５に示すように、データ記憶手段１５ｃに記憶された受信データをその記憶した順に読み出し、この受信データのうち測定対象となる移動端末機２０が割り当てられた特定のタイムスロット（図中ではＴＳ＃１）のみの受信データを抽出する処理を行っている。
【００４７】
スロットタイミング算出手段１６ｂは、スロット抽出手段１６ａにて抽出された受信データの送信タイミングを算出している。また、スロットタイミング算出手段１６ｂは、この算出した送信タイミングを基に、特定のタイムスロットとこのタイムスロットから所定の間隔数離れたタイムスロットとの送信タイミングの差をタイムスロット間の送信タイミングの偏移量として算出している。
このタイムスロットの間隔数は、設定操作部１１で設定された任意の自然数であるが、指定のない場合は間隔数＝１として処理を行う。
【００４８】
また、スロットタイミング算出手段１６ｂは、算出した送信タイミングの偏移量から基準値を差し引いた誤差値を算出している。なお、スロットタイミング算出手段１６ｂで使用される基準値の情報は、制御部１２から通知される。さらに、スロットタイミング算出手段１６ｂは、特定のタイムスロットとこのタイムスロットから所定の間隔数離れたタイムスロットとの送信タイミングの偏移量の差分を算出している。
【００４９】
測定結果記憶手段１６ｃは、スロット抽出手段１６ａで抽出されたタイムスロットの受信データ、スロットタイミング算出手段１６ｂで算出されたタイムスロットの送信タイミング、特定のタイムスロットとこのタイムスロットから所定の間隔数離れたタイムスロットとの送信タイミングから算出された送信タイミングの偏移量、この偏移量から基準値を差し引いた送信タイミングの誤差値、受信データの偏移量の差分などを記憶している。
【００５０】
判定部１７は、測定結果記憶手段１６ｃに記憶された送信タイミングの偏移量と設定操作部１１で設定された送信タイミングの規格値（図３に示す）とを比較し、送信タイミングの偏移量が規格値の許容誤差範囲内に収まっているか否かを判定している。これにより、測定対象となる移動端末機２０の送信機能が正常であるか否かが判定できるので、移動端末機２０の動作チェック（送信タイミングの良否判定）が行える。
判定例としては、例えば、図３に示すように、送信タイミングを遅れ方向に制御したとき（ＳＳｂｉｔ＝１１）の隣接するサブフレームのスロット（間隔数＝１）との偏移量の規格値の上限値が−１／１６chipで下限値が−３／１６chipとすると、−２／１６chipであれば正常、−４／１６chipであれば異常であると判定する。
【００５１】
また、判定部１７は、移動端末機２０に対して未定義のＳＳｃｏｍｍａｎｄを送信したときに、送信した未定義のＳＳｃｏｍｍａｎｄによって移動端末機２０からの送信タイミングが変化しているか否か（通常は、未定義なＳＳｃｏｍｍａｎｄのため、送信タイミングは制御されずに現状の状態を維持する）を判定している。即ち、この未定義のＳＳｃｏｍｍａｎｄによって、移動端末機２０が誤動作するか否かが判定できるので、移動端末機２０の動作確認が行える。
【００５２】
表示制御部１８は、測定結果記憶手段１６ｃに記憶された特定のタイムスロットの送信タイミングの偏移量、誤差値（偏移量から基準値を差し引いた値）、受信データの偏移量の差分を読み出し、これらを時系列的に並べてグラフ表示するための表示データを作成して、表示器に出力している。また、表示制御部１８は、判定部１７において異常と判定されたタイムスロットの情報を受けると、グラフ中に識別可能に表示し、制御部１２から規格値の情報を受けると、グラフ中に規格値から得られる規格線３６を表示している。
【００５３】
表示部１９は、例えば液晶ディスプレイなどの表示器で構成され、表示制御部１８からの制御により、設定操作部１１で選択された表示内容（測定対象となる移動端末機２０の送信タイミングに関する各種測定結果や判定部１７における判定結果など）を表示している。
【００５４】
ここで、図６〜図９を参照しながら、表示制御部１８によって作成された表示データの表示例について説明する。なお、各表示例では、帰還区間、維持区間、遅れ区間、進み区間、未定義区間の順で処理を行い、維持区間、遅れ区間、進み区間における送信タイミングの制御回数を６回、偏移量を算出する際のタイムスロットの間隔数は１（即ち、隣接したタイムスロットの送信タイミング）に設定されている。
【００５５】
また、以下で説明する表示例は、上記測定方法における一例であるため、各表示エリアの組み合わせや表示の仕方、規格値やタイムスロットの間隔数などを、表示部１９に表示する前や表示中に設定操作部１１から任意に設定することで、オペレータの所望の表示内容を表示することができる。
【００５６】
図６の表示例では、表示画面に送信タイミンググラフ表示エリア３１、区間表示エリア３２と、偏移量グラフ表示エリア３３が表示された例である。
【００５７】
送信タイミンググラフ表示エリア３１は、スロットタイミング算出手段１６ｂで算出された送信タイミングについて、横軸をｎ（測定対象となるスロット数）、縦軸を基準タイミングに対する時間的なずれを遅れ／進みで表すタイミングエラー（単位はchip）とし、特定のタイムスロットの送信タイミングが時系列的に連続して並べて表示されている。
【００５８】
区間表示エリア３２は、測定結果がどの区間に区分されているかをオペレータが把握できるようにするための表示エリアである。ここでは、エリア内がＡ〜Ｅの５つの区間に分けられており、ＳｔｅｐＡは測定対象となる移動端末機２０の現在の送信タイミングを基準タイミングに合せる制御を行う帰還区間、ＳｔｅｐＢは送信タイミングを維持する制御を行う（図示の例では基準タイミングを維持する制御）維持区間、ＳｔｅｐＣは送信タイミングを遅れ方向に所定回数遅らせる制御を行う遅れ区間、ＳｔｅｐＤは送信タイミングを進み方向に所定回数進ませる制御を行う進み区間、ＳｔｅｐＥは未定義のＳＳｃｏｍｍａｎｄを移動端末機２０に送信して送信タイミングが変化しているか否かを確認する未定義区間である。
【００５９】
偏移量グラフ表示エリア３３は、横軸をｎ（測定対象となるスロット数）、縦軸を基準タイミングに対する偏移量（Δｔ、単位はchip）として時系列的に１つ前のスロットとの偏移量を連続して並べて表示されており、送信タイミンググラフ表示エリア３１の表示内容と容易に比較できるように表示されている。なお、図中の例では、偏移量は正数をとって算出されている。
【００６０】
具体的には、移動端末機２０の送信タイミングを遅らせる区間（ＳｔｅｐＣ）では、２つのタイムスロットの送信タイミングの差分を算出したものに−１を乗じて正数の偏移量とし、移動端末機２０の送信タイミングを進ませる若しくは維持する区間（ＳｔｅｐＡ，ＳｔｅｐＢ，ＳｔｅｐＤ）では、２つのタイムスロットの送信タイミングの差分を算出したものに１を乗じて（つまりそのままの値として）正数の偏移量として算出している。なお、ＳｔｅｐＡの帰還区間は、遅れ方向に制御する場合もあるため、その場合は２つのタイムスロットの送信タイミングの差分を算出したものに−１を乗じて正数の偏移量とする。このように、偏移量を正数で表示することにより、正負の値で表示するのに比べて、表示画面における偏移量グラフ表示エリア３３の表示面積を小さくすることができる。
【００６１】
図６において、ＳｔｅｐＡの区間（帰還区間）では、移動端末機２０から送信された信号の送信タイミングを基準タイミングに帰還させる制御（即ち、現在の送信タイミングと基準タイミングとに基づき送信タイミングを遅らせる若しくは進ませる制御）を行っている。移動端末機２０の送信タイミングが精度良く制御されている場合、送信タイミンググラフ表示エリア３１の表示は基準タイミングである「Ｔａｒｇｅｔ」で横一直線のグラフとなり、偏移量グラフ表示エリア３３の表示は「０」で横一直線のグラフとなって表示される。
図中では、送信タイミングが基準タイミングよりも遅れているため、進み方向に１／８chipずつ進めて基準タイミングに合せるように制御しているため、送信タイミンググラフ表示エリア３１の表示は「Ｔａｒｇｅｔ」になるまで１／８chipずつ上がった後横一直線のグラフとなり、偏移量グラフ表示エリア３３の表示は１／８chip下がった後「０」で横一直線のグラフとなって表示されている。
【００６２】
ＳｔｅｐＢの区間（維持区間）では、ＳｔｅｐＡにおいて移動端末機２０の送信タイミングが基準タイミングに制御されたことを確認すると、移動端末機２０の送信タイミングを基準タイミングに維持する制御を行っている。移動端末機２０の送信タイミングが精度良く制御されている場合、送信タイミンググラフ表示エリア３１の表示は基準タイミングである「Ｔａｒｇｅｔ」で横一直線のグラフとなり、偏移量グラフ表示エリア３３の表示は「０」で横一直線のグラフとなって表示される。
図中では、送信タイミングが精度よく制御されているため、送信タイミンググラフ表示エリア３１の表示は「Ｔａｒｇｅｔ」で横一直線のグラフとなり、偏移量グラフ表示エリア３３の表示は「０」で横一直線のグラフとなって表示されている。
【００６３】
ＳｔｅｐＣの区間（遅れ区間）では、ＳｔｅｐＢにおいて移動端末機２０の送信タイミングが基準タイミングに制御されたことを確認すると、移動端末機２０の送信タイミングを１／８chipずつ６回遅らせる制御を行っている。移動端末機２０の送信タイミングが精度良く制御されている場合、送信タイミンググラフ表示エリア３１の表示は基準タイミングから１／８chipずつ階段状に下がるグラフとなり、偏移量グラフ表示エリア３３の表示は「０」から１／８chip上がった後横一直線のグラフとなって表示される。
図中では、送信タイミングが精度よく制御されているため、送信タイミンググラフ表示エリア３１の表示は基準タイミングから１／８chipずつ階段状に下がるグラフとなり、偏移量グラフ表示エリア３３の表示は「０」から１／８chip上がった後横一直線のグラフとなって表示されている。
【００６４】
ＳｔｅｐＤの区間（進み区間）では、ＳｔｅｐＣにおいて移動端末機２０の送信タイミングを１／８chipずつ６回遅らせる制御が実行されたことを確認すると、移動端末機２０の送信タイミングを１／８chipずつ６回進ませる制御を行っている。移動端末機２０の送信タイミングが精度良く制御されている場合、送信タイミンググラフ表示エリア３１の表示は基準タイミングから１／８chipずつ階段状に上がるグラフとなり、偏移量グラフ表示エリア３３の表示はＳｔｅｐＣのグラフと同じ位置を保ちながら横一直線のグラフとなって表示される。
図中では、送信タイミングの精度が悪いため、１／８chipずつ階段状に上がらず大きな乱れが生じており、送信タイミンググラフ表示エリア３１、偏移量グラフ表示エリア３３ともに、特異なグラフ形状を成している。また、送信タイミングが規格値の許容誤差範囲から外れている箇所があるため、送信タイミンググラフ表示エリア３１は送信タイミングの乱れた箇所をａ点として、例えば色分け表示や点滅表示をするなど識別可能に表示し、偏移量グラフ表示エリア３３はａ点に対応する位置をｂ点として送信タイミングの乱れをａ点と同様に識別可能に表示している。
【００６５】
ＳｔｅｐＥの区間（未定義区間）では、ＳｔｅｐＣにおいて移動端末機２０の送信タイミングを１／８chipずつ６回進ませる制御が実行されたことを確認すると、移動端末機２０に対して未定義のＳＳｃｏｍｍａｎｄの制御情報を送信して移動端末機２０が誤作動するか否かを確認するための処理を行っている。移動端末機２０の機能が正常であれば、未定義のＳＳｃｏｍｍａｎｄによって動作しないため、送信タイミンググラフ表示エリア３１の表示は基準タイミングである「Ｔａｒｇｅｔ」で横一直線のグラフとなり、偏移量グラフ表示エリア３３は「０」で横一直線のグラフとなって表示される。
図中では、移動端末機２０の機能が正常あるため、送信タイミンググラフ表示エリア３１の表示は「Ｔａｒｇｅｔ」で横一直線のグラフとなり、偏移量グラフ表示エリア３３の表示は「０」で横一直線のグラフとなって表示されている。
【００６６】
図７に示す表示例は、図６で表示された送信タイミンググラフ表示エリア３１、区間表示エリア３２と同内容の表示がなされており、図６における偏移量グラフ表示エリア３３に表示する偏移量を正負で表示し、設定操作部１１で設定された規格値から得られる規格線３６をＳｔｅｐＢ、ＳｔｅｐＣ、ＳＴｅｐＤに表示した例である。
なお、以下の説明では、送信タイミンググラフ表示エリア３１、区間表示エリア３２が図６と同様であるためその説明を省略し、表示内容の異なる偏移量グラフ表示エリア３３の説明のみ記載する。
【００６７】
偏移量グラフ表示エリア３３のグラフ中に表示される規格線３６は、図３に示す規格値から得られる線であり、ＳＳｃｏｍａｎｎｄのＳＳｂｉｔによって上限値／下限値が異なるため、各Ｓｔｅｐにおける上限値と下限値に対応する規格線３６がそれぞれ各区画に表示されている。なお、規格線３６は、設定操作部１１からの操作によって、規格線３６の表示の有無や規格線３６を表示する区画の選択などを任意に設定することができる。
【００６８】
ＳｔｅｐＢの区間（維持区間）では、上限値として１／１６chip、下限値として−１／１６chipの規格線３６が２本表示されている。ＳｔｅｐＢの区間では、測定対象となる移動端末機２０の送信タイミングが２本の規格線３６から外れておらず、規格値の許容誤差範囲内に収まっているため、ＳｔｅｐＢの区間における移動端末機２０の送信タイミングは正常であると判定できる。
【００６９】
ＳｔｅｐＣの区間（遅れ区間）では、上限値として−１／１６chip、下限値として−３／１６chipの規格線３６が２本表示されている。ＳｔｅｐＣの区間では、測定対象となる移動端末機２０の送信タイミングが２本の規格線３６から外れておらず、規格値の許容誤差範囲内に収まっているため、ＳｔｅｐＣの区間における移動端末機２０の送信タイミングは正常であると判定できる。
【００７０】
ＳｔｅｐＤの区間（進み区間）では、上限値として３／１６chip、下限値として１／１６chipの規格線３６が２本表示されている。ＳｔｅｐＤの区間では、測定対象となる移動端末機２０の送信タイミングが規格値の上限値を超えており、送信タイミングに異常が生じていることがわかる。従って、ＳｔｅｐＤの区間における移動端末機２０の送信タイミングは異常であると判定できる。また、送信タイミンググラフ表示エリア３１は送信タイミングの乱れた箇所をｃ点として、例えば色分け表示や点滅表示をするなど識別可能に表示し、偏移量グラフ表示エリア３３はｃ点に対応する位置をｄ点として送信タイミングの乱れをｃ点と同様に識別可能に表示している。
【００７１】
図８に示す表示例は、偏移量から設定操作部１１で設定された規格値の許容誤差範囲の中間値である基準値を差し引いた誤差値を時系列的に連続して並べた誤差値グラフ表示エリア３４を表示し、設定操作部１１で設定された規格値から基準値を差し引いて得られる規格線３６をＳｔｅｐＢ、ＳｔｅｐＣ、ＳｔｅｐＤに表示した例である。
【００７２】
図８における規格線３６は、偏移量の誤差値の規格線であり、「０」を規格値の規格許容範囲の中間値である基準値とし、その基準値からの上限値と下限値をそれぞれ表したものである。この表示例では、通常、移動端末機２０の送信タイミングが精度良く制御されている場合は基準値である「０」を示し、何かしら異常があると「０」からずれた表示となる。なお、規格線３６は、設定操作部１１からの操作によって、規格線３６の表示の有無や規格線３６を表示する区画の選択などを任意に設定することができる。
【００７３】
ＳｔｅｐＢの区間（維持区間）では、「０」を規格許容範囲の中間値である基準値とし、その許容誤差範囲の上限値と下限値を示した規格線３６を２本表示されている。ＳｔｅｐＢの区間では、測定対象となる移動端末機２０の送信タイミングが２本の規格線３６から外れておらず、規格値の許容誤差範囲内に収まっているため、ＳｔｅｐＢの区間における移動端末機２０の送信タイミングは正常であると判定できる。
【００７４】
ＳｔｅｐＣの区間（遅れ区間）では、「０」を規格許容範囲の中間値である基準値とし、その許容誤差範囲の上限値と下限値を示した規格線３６を２本表示されている。ＳｔｅｐＣの区間では、測定対象となる移動端末機２０の送信タイミングが２本の規格線３６から外れておらず、規格値の許容誤差範囲内に収まっているため、ＳｔｅｐＣの区間における移動端末機２０の送信タイミングは正常であると判定できる。
【００７５】
ＳｔｅｐＤの区間（進み区間）では、「０」を規格許容範囲の中間値である基準値とし、その許容誤差範囲の上限値と下限値を示した規格線３６を２本表示されている。ＳｔｅｐＤの区間では、測定対象となる移動端末機２０の送信タイミングが規格値の上限値を超えており、送信タイミングに異常が生じていることがわかる。従って、ＳｔｅｐＤの区間における移動端末機２０の送信タイミングは異常であると判定できる。また、誤差値グラフ表示エリア３４は、送信タイミングの乱れをｅ点として例えば色分け表示や点滅表示をするなど識別可能に表示している。
【００７６】
図９に示す表示例は、図７で説明した偏移量グラフ表示エリア３３と、この偏移量グラフ表示エリア３３に対応するように時系列的に隣接する１つ前のスロットとの偏移量の差分を並べた差分グラフ表示エリア３５とが表示された例である。なお、偏移量グラフ表示エリア３３は、図７で説明したものと同一であるため、その説明を省略する。
このように、偏移量の差分を算出するということは、元の値の微分することと等しい。従って、差分を算出してグラフ表示することで、元のグラフの変化点を容易に見つけることが可能となる。
【００７７】
また、偏移量グラフ表示エリア３３のＳｔｅｐＢ、ＳｔｅｐＣ、ＳｔｅｐＤに規格線３６を表示するとともに送信タイミングの乱れた箇所をｆ点として例えば色分け表示や点滅表示をするなど識別可能に表示し、差分グラフ表示エリア３５にはｆ点に対応する位置をｇ点として送信タイミングの乱れをｆ点と同様に識別可能に表示している。
【００７８】
次に、図１０を参照しながら、上記構成における信号測定装置１の処理動作について説明する。ここでは、上記表示例で用いた測定方法の仕様と同様に、帰還区間、維持区間、遅れ区間、進み区間、未定義区間の順に処理を進めて送信タイミングの測定を行う例である。
なお、以下の処理動作の前提として、信号測定装置１と移動端末機２０との間で通信が確立されている状態、即ちどのタイムスロットに移動端末機２０のアップリンク、ダウンリンクが割り当てられているかが決まっている状態であることは言うまでもない。
【００７９】
まず、測定対象となる移動端末機２０から信号を受信し、この信号の受信データから移動端末機２０が割り当てられたタイムスロットの送信タイミングを抽出する（ＳＴ１）。次に、移動端末機２０の送信タイミングを測定する測定方法の設定により、測定対象となる移動端末機２０の送信タイミングの制御回数を設定する（ＳＴ２）。
なお、ＳＴ２では、測定方法が設定されてるため、送信タイミングの制御回数が設定されるとともに、処理手順（本例では、帰還区間、維持区間、遅れ区間、進み区間、未定義区間の順に処理を行う）も設定される。
【００８０】
ＳＴ２において、送信タイミングの制御回数が設定されると、移動端末機２０の送信タイミングを基準タイミングに合せる制御を行う（ＳＴ３）。そして、設定された送信タイミングの制御回数に従って、移動端末機２０の送信タイミングを維持する制御（ＳＳｂｉｔ＝０１のＳＳｃｏｍｍａｎｄを移動端末機２０に送信）を行い（ＳＴ４）、設定された制御回数実行されたか否かを判別する（ＳＴ５）。
【００８１】
ＳＴ５において、送信タイミングを基準タイミングに制御する回数が、設定された制御回数だけ実行された場合は（ＳＴ５−Ｙｅｓ）、次に、移動端末機２０の送信タイミングを１／８chipずつ遅らせる制御（ＳＳｂｉｔ＝００のＳＳｃｏｍｍａｎｄを移動端末機２０に送信）を行い（ＳＴ６）、設定された制御回数だけ実行されたか否かを判別する（ＳＴ７）。
一方、送信タイミングを基準タイミングに制御する回数が、設定された制御回数だけ実行されていない場合は（ＳＴ５−Ｎｏ）、再度ＳＴ４に戻って、移動端末機２０の送信タイミングを維持する制御を行う。
【００８２】
ＳＴ７において、送信タイミングを遅れ方向に制御する回数が、設定された制御回数だけ実行された場合は（ＳＴ７−Ｙｅｓ）、次に、移動端末機２０の送信タイミングを１／８chipずつ進ませる制御（ＳＳｂｉｔ＝１１のＳＳｃｏｍｍａｎｄを移動端末機２０に送信）を行い（ＳＴ８）、設定された制御回数だけ実行されたか否かを判別する（ＳＴ９）。
一方、送信タイミングを遅れ方向に制御する回数が、設定された制御回数だけ実行されていない場合は（ＳＴ７−Ｎｏ）、再度ＳＴ６に戻って、移動端末機２０の送信タイミングを遅らせる制御を行う。
【００８３】
ＳＴ９において、送信タイミングを進み方向に制御する回数が、設定された制御回数だけ実行された場合は（ＳＴ７−Ｙｅｓ）、次に、ＳＳｃｏｍａｎｄを未定義にする制御（例えば、未定義であるＳＳｂｉｔ＝１０のＳＳｃｏｍｍａｎｄを送信する）を行い（ＳＴ１０）、設定された制御回数実行されたか否かを判別する（ＳＴ１１）。
一方、送信タイミングを進み方向に制御する回数が、設定された制御回数だけ実行されていない場合は（ＳＴ９−Ｎｏ）、再度ＳＴ８に戻って、移動端末機２０の送信タイミングを進ませる制御を行う。
【００８４】
ＳＴ１１において、ＳＳｃｏｍｍａｎｄを未定義に制御する回数が、設定された制御回数だけ実行された場合は（ＳＴ１１−Ｙｅｓ）、これまでの測定結果を測定結果記憶手段１６ｃに記憶させ（ＳＴ１２）、この記憶した測定結果と設定されたタイムスロットの間隔数に基づきタイムスロットの偏移量を算出する（ＳＴ１３）。そして、設定操作部１１からの各種設定内容に基づき、表示制御部１８で表示内容に関する表示データを作成した後、表示部１９に表示する（ＳＴ１４）。
一方、ＳＳｃｏｍｍａｎｄを未定義に制御する回数が、設定された制御回数だけ実行されていない場合は（ＳＴ１１−Ｎｏ）、再度ＳＴ１０に戻って、ＳＳｃｏｍａｎｄを未定義にする制御を行う。
【００８５】
このように、上述した信号測定装置１は、予め設定された測定方法の仕様に基づき、測定対象となる移動端末機２０からの送信タイミングを基準タイミングに合せるべく移動端末機２０からの送信タイミングを遅らせるためのタイミング制御命令又は移動端末機２０からの送信タイミングを進ませるためのタイミング制御命令を送信する命令、送信タイミングを維持するタイミング制御命令、送信タイミングを遅らせるタイミング制御命令、送信タイミングを進ませるタイミング制御命令、送信タイミングを制御するＳＳｃｏｍｍａｎｄを未定義にするタイミング制御命令を、設定された制御回数で移動端末機２０に対して順次送信する。そして、送信した各命令に応じて移動端末機２０から送信された信号のうち、測定対象となる移動端末機２０が割り当てられた特定のタイムスロットの送信タイミングを抽出して送信タイミングを算出する。そして、算出した送信タイミングから偏移量を算出し、予め設定された規格値と比較することで移動端末機２０の送信タイミングの良否判定を行っている。
従って、通信方式としてＴＤ−ＳＣＤＭＡなどの時分割・同期・符号分割多重方式を採用する移動端末機２０にとって重要な送信タイミングの同期に関する測定が容易に行えるとともに、その測定結果を簡単に把握することができる。
【００８６】
また、測定した結果を表示部１９に表示する際に、測定した送信タイミングを時系列的に連続して並べて表示するとともに、測定した送信タイミングの偏移量や偏移量に基づく誤差値から得られるグラフを所定の表示エリアに表示をすることができるため、オペレータは測定対象である移動端末機２０の送信タイミングを容易に観測することができる。
【００８７】
さらに、表示部１９に表示されたグラフ中に、予め設定された規格値から得られる規格線３６を表示しているため、オペレータはグラフ中で、送信タイミングが正常か異常かを容易に判別することができる。また、送信タイミングに異常が生じている場合に、その該当個所を例えば色分け表示や点滅表示をするなど識別可能に表示しているため、オペレータはさらに異常箇所を確実に識別することができる。
【００８８】
また、設定されたタイムスロットの間隔数に従って偏移量を算出しているので、偏移量を算出する際のスロット間隔数を任意に設定することにより、オペレータの所望の測定を行うことができる。
【００８９】
ところで、上述した形態では、移動端末機の送信タイミングを制御する測定方法の仕様として、測定対象となる移動端末機２０の現在の送信タイミングを基準タイミングに合せる制御を行うＳｔｅｐＡ（帰還区間）、送信タイミングを維持する制御を行うＳｔｅｐＢ（維持区間）、送信タイミングを遅れ方向に所定回数遅らせる制御を行うＳｔｅｐＣ（遅れ区間）、送信タイミングを進み方向に所定回数進ませる制御を行うＳｔｅｐＤ（進み区間）の順に処理を行う例で説明したが、少なくとも遅れ区間、進み区間の各Ｓｔｅｐを含み、各区間に対応した命令に基づいて移動端末機から送信された信号の送信タイミングを測定する構成であれば、特に各Ｓｔｅｐの手順は限定されない。
【００９０】
また、遅れ区間、進み区間、維持区間及び未定義区間における送信タイミングの制御方法として、測定対象となる移動端末機２０に対して予め設定された制御回数だけタイミング制御命令（ＳＳｃｏｍｍａｎｄ）を連続して送信する構成（図６〜図９に示す表示例では制御回数を６回に設定）で説明したが、例えば任意に設定された制御時間内にどの程度変化（若しくは維持）させるかを予め設定しておくことで、上述した回数による制御方法と同様に、送信タイミングの測定を行うことができる。
【００９１】
さらに、スロット抽出手段１６ａでは、データ記憶手段１５ｃに記憶された受信データの中から特定のタイムスロットの受信データのみを抽出するとしたが、例えばタイムスロット全ての受信データについて測定する構成とした場合は、この処理を省略することができる。
このとき、全ての受信データの中から特定のタイムスロットの受信データのみを表示部１９に表示させるとした場合は、まず表示させたいタイムスロットを設定操作部１１で特定し、この特定されたタイムスロットの受信データのみを測定結果記憶手段１６ｃから抽出する。そして、スロットタイミング算出手段１６ｂにおいて、抽出したタイムスロットの受信データに基づく偏移量、誤差値、偏移量の差分などを測定して再度測定結果記憶手段１６ｃに記憶させ、表示制御部１８で表示データを作成することで、表示部１９に特定のタイムスロットの表示内容のみを表示させることができる。
【００９２】
また、スロットタイミング算出手段１６ｂでは、スロット抽出手段１６ａで検出された特定のスロットタイミングの受信データから得られる送信タイミングに基づき各種処理を行っているが、例えば予め特定のタイムスロットが設定されていない場合や測定中にタイムスロットの間隔数の設定が変更された場合は、特定のタイムスロットや間隔数が設定された時点で、測定結果記憶手段１６ｃに記憶された受信データから該当する受信データを用いて送信タイミングや偏移量の算出などの各種処理を行うこともできる。
【符号の説明】
【００９３】
１  信号測定装置
１１  設定操作部
１２  制御部
１３  送信部
１３ａ  タイミング制御要求手段
１３ｂ  送信回路
１４  方向性結合器
１５  受信部
１５ａ  受信回路
１５ｂ  Ａ／Ｄ変換器
１５ｃ  データ記憶手段
１６  測定部
１６ａ  スロット抽出手段
１６ｂ  スロットタイミング算出手段
１６ｃ  測定結果記憶手段
１７  判定部
１８  表示制御部
１９  表示部
２０  移動端末機
３１  送信タイミンググラフ表示エリア
３２  区間表示エリア
３３  偏移量グラフ表示エリア
３４  誤差値グラフ表示エリア
３５  差分グラフ表示エリア
３６  規格線
【図１】
0005410574.tif 000002
【図２】
0005410574.tif 000003
【図３】
0005410574.tif 000004
【図４】
0005410574.tif 000005
【図５】
0005410574.tif 000006
【図６】
0005410574.tif 000007
【図７】
0005410574.tif 000008
【図８】
0005410574.tif 000009
【図９】
0005410574.tif 000010
【図１０】
0005410574.tif 000011
【図１１】
0005410574.tif 000012